(57)【特許請求の範囲】
【請求項１】
基地局側がＵＥ−Ｓｐｅｃｉｆｉｃの第１の上位層シグナリングを介して端末側にＣＳＩ測定用のＣＳＩ−ＲＳリソースを通知するステップであって、ここで、前記ＣＳＩ−ＲＳリソースは、少なくとも、前記ＣＳＩ−ＲＳリソースのサブフレーム中の時間周波数位置、前記ＣＳＩ−ＲＳリソースのアンテナポート数配置、前記ＣＳＩ−ＲＳリソースの周期とサブフレーム遷移、前記ＣＳＩ−ＲＳリソースのシーケンス記号、及び前記ＣＳＩ−ＲＳリソースのパワー制御情報の中の一つを含む、通知するステップと、
前記基地局側が前記端末側に前記ＣＳＩ−ＲＳリソースに対応するＣＳＩをフィードバックすることを指示するステップと、
を含み、
前記基地局側が前記端末側に前記ＣＳＩ−ＲＳリソースに対応するＣＳＩをフィードバックすることを指示するステップは、
前記基地局側がＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビット及び端末側で盲目的に検知した当該端末に属するＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末に対応するＣＳＩを選択してフィードバックすることを動的に指示するステップを含み、
前記フィードバックトリガーシグナリングビットは、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットが２ビットであるものを含み、ここで、００はいずれかのＣＳＩ−ＲＳリソースのＣＳＩもトリガーしないことを表し、０１〜１１はそれぞれＣＳＩ−ＲＳリソースの異なる集合方式及び／又は干渉仮説のＣＳＩをトリガーすることを表し、
ＤＣＩ  Ｆｏｒｍａｔ  ０、ＤＣＩ  ｆｏｒｍａｔ  ４又はランダムアクセス応答又はアップリンクスケジューリング許可シグナリングが位置するリソースの位置は、少なくとも、対応するＣＣＥの開始位置、対応する集合レベル、対応するサブフレーム番号、対応するシステムフレーム番号、及び対応する上位層シグナリングを配置した領域指示の中の一つの情報を含み、
前記ＣＳＩ−ＲＳリソースの数は複数であり、前記基地局側が前記端末側に前記ＣＳＩ−ＲＳリソースに応じて対応するＣＳＩをフィードバックすることを指示する前に、
前記基地局側がＵＥ−Ｓｐｅｃｉｆｉｃの第２の上位層シグナリングを介して前記端末側に前記複数のＣＳＩ−ＲＳリソース中のフィードバックする必要のあるＣＳＩの候補配置集合を通知するステップを更に含むＣＳＩフィードバックシグナルの指示配置方法。
【請求項２】
前記基地局側がＵＥ−Ｓｐｅｃｉｆｉｃの第２の上位層シグナリングを介して前記端末側に前記複数のＣＳＩ−ＲＳリソース中のフィードバックする必要のあるＣＳＩの候補配置集合を通知するステップが、
前記基地局側がｂｉｔｍａｐシーケンスで前記端末側に前記候補配置集合を通知することを含み、ここで、前記ｂｉｔｍａｐシーケンスの長さは３又は４又は７又は８であって、前記ｂｉｔｍａｐシーケンス中の各ビットは配置したＣＳＩ−ＲＳリソースの異なる集合及び／又は干渉仮説測定フィードバック方式に対応する請求項１に記載の方法。
【請求項３】
前記ＣＳＩ−ＲＳリソース数が１である場合、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、ここで、０は前記ＣＳＩ−ＲＳリソースのＣＳＩをトリガーしないことを表し、１は前記ＣＳＩ−ＲＳリソースのＣＳＩをトリガーすることを表する請求項１に記載の方法。
【請求項４】
前記ＣＳＩ−ＲＳリソース数が２又は３である場合、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは２ビットで、ここで、００はいずれかのＣＳＩ−ＲＳリソースのＣＳＩもトリガーしないことを表し、０１〜１１はそれぞれＣＳＩ−ＲＳリソースの異なる集合方式及び／又は干渉仮説のＣＳＩをトリガーすることを表する請求項１に記載の方法。
【請求項５】
前記ＣＳＩ−ＲＳリソース数が２或３である場合、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、且つ、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置と前記フィードバックトリガーシグナリング１ビットによって、前記端末側にＣＳＩ−ＲＳリソースの異なる集合方式及び／又は干渉仮説のＣＳＩをフィードバックすることを指示する請求項１に記載の方法。
【請求項６】
前記ＣＳＩ−ＲＳリソース数が２又は３である場合、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、前記端末側にＣＳＩ−ＲＳリソースの異なる集合方式及び／又は干渉仮説のＣＳＩをフィードバックすることを指示する請求項１に記載の方法。
【請求項７】
前記ＣＳＩ−ＲＳリソース数が２又は３である場合、前記基地局側が前記ＵＥ−Ｓｐｅｃｉｆｉｃの第２の上位層シグナリングによって、前記端末側に候補のＮ個のＣＳＩ−ＲＳリソースの異なる集合方式及び／又は干渉仮説のＣＳＩを通知し、ここで、Ｎ＞０であって、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、前記端末側にＣＳＩ−ＲＳリソースの異なる集合方式及び／又は干渉仮説のＣＳＩをフィードバックすることを指示する請求項１に記載の方法。
【請求項８】
前記ＣＳＩ−ＲＳリソース数が２又は３である場合、前記基地局側は前記ＵＥ−Ｓｐｅｃｉｆｉｃの第２の上位層シグナリングを介して、前記端末側に候補のＮ個のＣＳＩ−ＲＳリソースの異なる集合方式及び／又は干渉仮説のＣＳＩを通知し、ここで、Ｎ＞０であって、また、ＤＣＩ  Ｆｏｒｍａｔ  ０又はＤＣＩ  ｆｏｒｍａｔ  ４又はランダムアクセス応答又はアップリンクスケジューリング許可シグナリング中フィードバックトリガーシグナリングによって、前記端末側にＣＳＩ−ＲＳリソースの異なる集合方式及び／又は干渉仮説のＣＳＩをフィードバックすることを指示する請求項１に記載の方法。
【請求項９】
前記ＣＳＩ−ＲＳリソース数が２又は３である場合、前記基地局側は前記ＵＥ−Ｓｐｅｃｉｆｉｃの第２の上位層シグナリングを介して、前記端末側に候補のＮ個のＣＳＩ−ＲＳリソースの異なる集合方式及び／又は干渉仮説のＣＳＩを通知し、ここで、Ｎ＞０であって、また、ＤＣＩ  Ｆｏｒｍａｔ  ０又はＤＣＩ  ｆｏｒｍａｔ  ４又はランダムアクセス応答又はアップリンクスケジューリング許可シグナリング中フィードバックトリガーシグナリングとＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、前記端末側にＣＳＩ−ＲＳリソースの異なる集合方式及び／又は干渉仮説のＣＳＩをフィードバックすることを指示する請求項１に記載の方法。
【請求項１０】
ＵＥ−Ｓｐｅｃｉｆｉｃの第１の上位層シグナリングを介して端末側にＣＳＩ測定用のＣＳＩ−ＲＳリソースを通知する第１の通知モジュールであって、ここで、前記ＣＳＩ−ＲＳリソースは、少なくとも、前記ＣＳＩ−ＲＳリソースのサブフレーム中の時間周波数位置、前記ＣＳＩ−ＲＳリソースのアンテナポート数配置、前記ＣＳＩ−ＲＳリソースの周期とサブフレーム遷移、前記ＣＳＩ−ＲＳリソースのシーケンス記号、及び前記ＣＳＩ−ＲＳリソースのパワー制御情報の中の一つを含む、第１の通知モジュールと、
前記端末側に前記ＣＳＩ−ＲＳリソースに対応するＣＳＩをフィードバックすることを指示する指示モジュールと、
ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビット及び端末側で盲目的に検知した当該端末に属されるＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末に対応するＣＳＩを選択してフィードバックすることを動的に指示する動的指示サブモジュールと、
を備え、
前記フィードバックトリガーシグナリングビットは、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットが２ビットであるものを含み、ここで、００はいずれかのＣＳＩ−ＲＳリソースのＣＳＩもトリガーしないことを表し、０１〜１１はそれぞれＣＳＩ−ＲＳリソースの異なる集合方式及び／又は干渉仮説のＣＳＩをトリガーすることを表し、
ＤＣＩ  Ｆｏｒｍａｔ  ０、ＤＣＩ  ｆｏｒｍａｔ  ４又はランダムアクセス応答又はアップリンクスケジューリング許可シグナリングが位置するリソース位置は、少なくとも、対応するＣＣＥの開始位置、対応する集合レベル、対応するサブフレーム番号、対応するシステムフレーム番号、及び対応する上位層シグナリングを配置した領域指示の中の一つの情報を含み、
ＣＳＩ−ＲＳリソースが複数である場合、ＵＥ−Ｓｐｅｃｉｆｉｃの第２の上位層シグナリングを介して、前記端末側に前記複数のＣＳＩ−ＲＳリソース中のフィードバックする必要のあるＣＳＩの候補配置集合を通知する第２の通知モジュールを更に含む基地局。
【請求項１１】
前記第２の通知モジュールが、
ｂｉｔｍａｐシーケンスを介して前記端末側に前記候補配置集合を通知する候補通知サブモジュールを含み、ここで、前記ｂｉｔｍａｐシーケンスの長さは３又は４又は７又は８であって、前記ｂｉｔｍａｐシーケンス中の各ビットが配置したＣＳＩ−ＲＳリソース異なる集合及び／又は干渉仮説測定フィードバック方式に対応する請求項１０に記載の基地局。
【請求項１２】
基地局がＵＥ−Ｓｐｅｃｉｆｉｃの第１の上位層シグナリングを介して端末側に通知したＣＳＩ測定用のＣＳＩ−ＲＳリソースを受信する第１の受信モジュールであって、ここで、前記ＣＳＩ−ＲＳリソースは、少なくとも、前記ＣＳＩ−ＲＳリソースのサブフレーム中の時間周波数位置、前記ＣＳＩ−ＲＳリソースのアンテナポート数配置、前記ＣＳＩ−ＲＳリソースの周期とサブフレーム遷移、前記ＣＳＩ−ＲＳリソースのシーケンス記号、及び前記ＣＳＩ−ＲＳリソースのパワー制御情報の中の一つを含む、第１の受信モジュールと、
端末側が受信した第１の上位層シグナリングに応じて、前記ＣＳＩ−ＲＳリソースに対応するＣＳＩを選択してフィードバックする選択モジュールと、
基地局がＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビット及び端末側で盲目的に検知した当該端末に属されるＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末に対応するＣＳＩを選択してフィードバックすることを動的に指示する動的受信サブモジュールと、
を備え、
前記フィードバックトリガーシグナリングビットは、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットが２ビットであるものを含み、ここで、００はいずれかのＣＳＩ−ＲＳリソースのＣＳＩもトリガーしないことを表し、０１〜１１はそれぞれＣＳＩ−ＲＳリソースの異なる集合方式及び／又は干渉仮説のＣＳＩをトリガーすることを表し、
ＤＣＩ  Ｆｏｒｍａｔ  ０、ＤＣＩ  ｆｏｒｍａｔ  ４又はランダムアクセス応答又はアップリンクスケジューリング許可シグナリングが位置するリソース位置は、少なくとも、対応するＣＣＥの開始位置、対応する集合レベル、対応するサブフレーム番号、対応するシステムフレーム番号、及び対応する上位層シグナリング配置した領域指示の中の一つの情報を含み、
ＣＳＩ−ＲＳリソースが複数である場合、基地局がＵＥ−Ｓｐｅｃｉｆｉｃの第２の上位層シグナリングを介して前記端末側に通知した前記複数のＣＳＩ−ＲＳリソース中のフィードバックする必要のあるＣＳＩの候補配置集合を受信する第２の受信モジュールを更に含む端末。
【請求項１３】
前記第２の受信モジュールが、
ｂｉｔｍａｐシーケンスを受信することで前記端末側の前記候補配置集合を取得する候補受信サブモジュールを含み、ここで、前記ｂｉｔｍａｐシーケンスの長さは３又は４又は７又は８であって、前記ｂｉｔｍａｐシーケンス中の各ビットが配置したＣＳＩ−ＲＳリソースの異なる集合及び／又は干渉仮説測定フィードバック方式に対応する請求項１２に記載の端末。
【発明の詳細な説明】
【技術分野】
【０００１】
本発明は、通信領域に関し、具体的に、ＣＳＩフィードバックシグナルの指示配置方法及び基地局に関するものである。
【背景技術】
【０００２】
ＬＴＥ（Ｌｏｎｇ  Ｔｅｒｍ  Ｅｖｏｌｕｔｉｏｎ）システムはＲ８／９／１０の幾つかのバージョンを経て、続々とＲ１１技術を研究している。現在、一部のＲ８製品は商品化を実現していて、Ｒ９とＲ１０はまだ規格が必要である。
【０００３】
Ｒ８とＲ９段階を経て、Ｒ１０は、両方を基にさまざまな新規の特性、例えば、ＤＭＲＳ（Ｄｅｍｏｄｕｌａｔｉｏｎ  Ｒｅｆｅｒｅｎｃｅ  Ｓｉｇｎａｌ：復調参照信号）、ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ：チャネル状態情報参考信号）等パイロット特性、８アンテナ支援等の伝送とフィードバック特性等等が追加され、特に、ｅＩＣＩＣ（ｅｈａｎｃｅｄ  Ｉｎｔｅｒ−Ｃｅｌｌ  Ｉｎｔｅｒｆｅｒｅｎｃｅ  Ｃａｎｃｅｌｌｉｎ：セル間干渉相殺補強）技術は、Ｒ８／９  ＩＣＩＣの基に、セル間の干渉を避ける技術も考慮している。セル間の干渉問題を解決する技術として、Ｒ１０段階では、主に同一のネットワーク構成におけるセルの干渉を避けることであって、ここで、主にｅＩＣＩＣ技術とＣｏＭＰ（Ｃｏｏｒｄｉｎａｔｅｄ  Ｍｕｌｔｉ−ｐｏｉｎｔ：多地点協調）技術を考えている。ＣｏＭＰは文字通り、複数のノードが協力して一つ又は複数のＵＥが同一の時間周波数リソース又は異なる時間周波数リソースでデータを送信するようにする技術である。当該技術によると、セル間の干渉を低減でき、セル周囲のスループットを向上させ、セルカバーを拡張できる。しかし、検討後期において異なるネットワーク構成を考慮し、更に多い状況を導入したが、ＣｏＭＰ技術の複雑性及びＲ１０検討の時間のせいに、最終的に、Ｒ１０段階において規定外のＣｏＭＰ標準化内容は導入しないが、ＣＳＩ−ＲＳ設計においてＣｏＭＰ部分の需要に鑑み設計すると確定したので、ＣｏＭＰ技術は６０ｂｉｓ会議以降は更なる検討が行われていない。
【０００４】
ＬＴＥにＰＤＣＣＨ（Ｐｈｙｓｉｃａｌ  ｄｏｗｎｌｉｎｋ  ｃｏｎｔｒｏｌ  ｃｈａｎｎｅｌ：物理ダウンリンク制御チャネル）積載スケジューリングの割り当てと他の制御情報を定義し、各ＰＤＣＣＨはいくつかのＣＣＥ（Ｃｏｎｔｒｏｌ  Ｃｈａｎｎｅｌ  Ｅｌｅｍｅｎｔ：制御チャネルユニット）から構成され、各サブフレームのＣＣＥ数はＰＤＣＣＨの数とダウンリンクバンド幅により決められる。
【０００５】
ＵＥは、探索空間において盲目的に検知してＰＤＣＣＨを得て、探索空間は共通の探索空間とＵＥ専用の探索空間とに分けられ、共通の探索空間は全てのＵＥが捜索できる領域で、当該空間に載せられたのはセル専用の情報である。専用探索空間は、単一のＵＥが捜索できる空間範囲で、複数のＵＥの専用探索空間は重なりあう可能性があって、ただ、通常の初期捜索位置が異なっている。盲目的に検知する前、上位層シグナリングによりＵＥ動作モードとＰＤＣＣＨの巡回冗長検査（Ｃｙｃｌｉｃ  Ｒｅｄｕｎｄａｎｃｙ  Ｃｈｅｃｋ、以下ＣＲＣと略称）にスクランブルを行うための無線ネットワーク一時的識別子（Ｒａｄｉｏ  Ｎｅｔｗｏｒｋ  Ｔｅｍｐｏｒａｒｙ  Ｉｄｅｎｔｉｔｙ、以下ＲＮＴＩと略称）のタイプを通知する。
【０００６】
探索空間
【数１】
0006419067.tif 000002
と集合レベルＬ及び候補ＰＤＣＣＨ数
【数２】
0006419067.tif 000003
との関係は表１に示す通りである。集合レベルはＰＤＣＣＨが占めるＣＣＥの数量である。ユーザ専用探索空間において盲目的に検知を行う際、ユーザ機器は先ずユーザ識別子（ＵＥ  ＩＤ）とサブフレーム番号等に基づいて盲目的に検知する初期位置Ｙｋを演算し、その後、自分に配分したＰＤＣＣＨを検知するまで探索空間において検知する。
【０００７】
【表１】
0006419067.tif 000004
【０００８】
集合レベルとＰＤＣＣＨの一番目の制御チャネルユニットとのユーザ専用探索空間中の相対的位置の対応関係は表２に示すとおりである。ＰＤＣＣＨの一番目の制御チャネルユニットのユーザ専用探索空間中の相対的位置とは、ＰＤＣＣＨが占める一番目のＣＣＥのインデックスｎＣＣＥと盲目的に検知する初期位置Ｙｋとの相対的位置を指し、本願において、ｎＣＣＥ，ｏｆｆｓｅｔで表し、ｎＣＣＥ，ｏｆｆｓｅｔ＝ｎＣＣＥ−Ｙｋで、ｎＣＣＥ，ｏｆｆｓｅｔの値の範囲は０〜６、８、１０である。表２に示すように、ＵＥ専用探索空間であって、一番目のＣＣＥ位置及びそれに対応する集合レベルを示す。
【０００９】
【表２】
0006419067.tif 000005
【００１０】
最新の６８ｂｉｓ回会議中の検討において、フィードバックと干渉の定義における仮説について詳しく検討し、現在、主な意見はチャネル測定と干渉測定をそれぞれ研究し、チャネル測定と干渉を別々に配置し、異なるＣＳＩ−ＲＳリソースの集合フィードバックを支援する可能性があって、前記集合フィードバックは集合ＰＭＩフィードバックと集合ＣＱＩフィードバックを含む。そして、フィードバックのオーバーヘッド及びダウンリンク制御シグナリングがＣｏＭＰ測定集合のサイズに関連するので、先ずＣｏＭＰ測定集合のサイズを検討して制限し、それからフィードバックとダウンリンク制御シグナリングを検討して収斂する必要がある。６８ｂｉｓ会議とｏｆｆｌｉｎｅ検討を経て、一応、ＣｏＭＰ測定集合のサイズが大きくても２又は３を超えないと決め、これにより、後続のフィードバックと制御シグナリングの研究のために適切に収斂できる。
関連技術において、端末側を如何に配置することで基地局側が必要とするＣＳＩをフィードバックするかについて未だに有効な解決案を提示していない。
【発明の概要】
【発明が解決しようとする課題】
【００１１】
本発明は、少なくとも上記の端末側を如何に配置することで基地局側が必要とするＣＳＩをフィードバックするかの問題を解決できるフィードバックシグナルの指示配置方法及び基地局を提供する。前記ＣＳＩ−ＲＳリソースの異なる集合方式及び／又は干渉仮説のＣＳＩは、一つのキャリア中の複数のＣＳＩであることができれば、複数のキャリア中の複数のＣＳＩであることもできる。
【課題を解決するための手段】
【００１２】
本発明の一態様によると、基地局側がＵＥ−Ｓｐｅｃｉｆｉｃの第１の上位層シグナリングを介して端末側にＣＳＩ測定用のＣＳＩ−ＲＳリソースを通知するステップと、ここで、ＣＳＩ−ＲＳリソースは少なくとも、ＣＳＩ−ＲＳリソースのサブフレーム中の時間周波数位置、ＣＳＩ−ＲＳリソースのアンテナポート数配置、ＣＳＩ−ＲＳリソースの周期とサブフレーム遷移、ＣＳＩ−ＲＳリソースのシーケンス記号、ＣＳＩ−ＲＳリソースのパワー制御情報の中の一つを含み、基地局側が端末側にＣＳＩ−ＲＳリソースに対応するＣＳＩをフィードバックすることを指示するステップを含むＣＳＩフィードバックシグナルの指示配置方法を提供する。
【００１３】
端末側がＣＳＩ−ＲＳリソースに応じて対応するＣＳＩをフィードバックする前、基地局側がＵＥ−Ｓｐｅｃｉｆｉｃの第２の上位層シグナリングを介して、端末側に複数のＣＳＩ−ＲＳリソース中のフィードバックの必要のあるＣＳＩの候補配置集合を通知するステップを更に含むことが好ましい。
【００１４】
基地局側がＵＥ−Ｓｐｅｃｉｆｉｃの第２の上位層シグナリングを介して端末側に複数のＣＳＩ−ＲＳリソース中のフィードバックの必要のあるＣＳＩの候補配置集合を通知するステップ、基地局側がｂｉｔｍａｐシーケンスで端末側に候補配置集合を通知することを含み、ここで、ｂｉｔｍａｐシーケンスの長さは３又は４又は７又は８であって、それぞれＣＳＩの異なる集合及び／又は干渉仮説方式に対応し、ｂｉｔｍａｐシーケンス中の各ビットは配置したＣＳＩ−ＲＳリソース異なる集合及び／又は干渉仮説測定フィードバック方式に対応することが好ましい。
【００１５】
基地局側が端末側にＣＳＩ−ＲＳリソースに対応するＣＳＩをフィードバックすることを指示するステップが、基地局側がＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビット及び／又は端末側で盲目的に検知した当該端末に属されるＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末に対応するＣＳＩを選択してフィードバックすることを動的に指示することを含み、ここで、ＣＳＩ−ＲＳリソースは、第１の上位層シグナリングが端末側に通知したＣＳＩ測定用のＣＳＩ−ＲＳリソース又は第２の上位層シグナリングが端末側に通知した候補配置集合であることが好ましい。
【００１６】
ＤＣＩ  ｆｏｒｍａｔ  ４又はランダムアクセス応答又はアップリンクスケジューリング許可シグナリングが位置するリソース位置が少なくとも、対応するＣＣＥの開始位置、対応する集合レベル、対応するサブフレーム番号、対応するシステムフレーム番号、対応する上位層シグナリングが配置した領域指示の中の一つの情報を含むことが好ましい。
【００１７】
ＣＳＩ−ＲＳリソース数が１である場合、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、ここで、０はＣＳＩ−ＲＳリソースのＣＳＩをトリガーしないことを表し、１はＣＳＩ−ＲＳリソースのＣＳＩをトリガーすることを表する。
【００１８】
ＣＳＩ−ＲＳリソース数が２又は３である場合、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは２ビットで、ここで、００はいずれかのＣＳＩ−ＲＳリソースのＣＳＩもトリガーしないことを表し、０１〜１１はそれぞれＣＳＩ−ＲＳリソースの異なる集合方式及び／又は干渉仮説のＣＳＩをトリガーすることを表する。
【００１９】
ＣＳＩ−ＲＳリソース数が２或３である場合、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置とフィードバックトリガーシグナリング１ビットによって、端末側にＣＳＩ−ＲＳリソースの異なる集合方式及び／又は干渉仮説のＣＳＩをフィードバックすることを指示することが好ましい。
【００２０】
ＣＳＩ−ＲＳリソース数が２又は３である場合、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末側にＣＳＩ−ＲＳリソースの異なる集合方式及び／又は干渉仮説のＣＳＩをフィードバックすることを指示する。
【００２１】
ＣＳＩ−ＲＳリソース数が２又は３である場合、基地局側はＵＥ−Ｓｐｅｃｉｆｉｃの第２の上位層シグナリングを介して、端末側に候補のＮ個のＣＳＩ−ＲＳリソースの異なる集合方式及び／又は干渉仮説のＣＳＩを通知し、ここで、Ｎ＞０であって、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末側にＣＳＩ−ＲＳリソースの異なる集合方式及び／又は干渉仮説のＣＳＩをフィードバックすることを指示することが好ましい。
【００２２】
ＣＳＩ−ＲＳリソース数が２又は３である場合、基地局側がＵＥ−Ｓｐｅｃｉｆｉｃの第２の上位層シグナリングを介して端末側に候補のＮ個のＣＳＩ−ＲＳリソースの異なる集合方式及び／又は干渉仮説のＣＳＩを通知し、ここで、Ｎ＞０であって、また、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングによって、端末側にＣＳＩ−ＲＳリソースの異なる集合方式及び／又は干渉仮説のＣＳＩをフィードバックすることを指示することが好ましい。
【００２３】
ＣＳＩ−ＲＳリソース数が２又は３である場合、基地局側がＵＥ−Ｓｐｅｃｉｆｉｃの第２の上位層シグナリングを介して端末側に候補のＮ個のＣＳＩ−ＲＳリソースの異なる集合方式及び／又は干渉仮説のＣＳＩを通知し、ここで、Ｎ＞０であって、また、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングとＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末側にＣＳＩ−ＲＳリソースの異なる集合方式及び／又は干渉仮説のＣＳＩをフィードバックすることを指示することが好ましい。
【００２４】
本発明の他の一態様によると、ＵＥ−Ｓｐｅｃｉｆｉｃの第１の上位層シグナリングを介して端末側にＣＳＩ測定用のＣＳＩ−ＲＳリソースを通知する第１の通知モジュールと、ここで、ＣＳＩ−ＲＳリソースは少なくとも、ＣＳＩ−ＲＳリソースのサブフレーム中の時間周波数位置、ＣＳＩ−ＲＳリソースのアンテナポート数配置、ＣＳＩ−ＲＳリソースの周期とサブフレーム遷移、ＣＳＩ−ＲＳリソースのシーケンス記号とＣＳＩ−ＲＳリソースのパワー制御情報の中の一つを含み、端末側にＣＳＩ−ＲＳリソースに対応するＣＳＩをフィードバックすることを指示する指示モジュールと、を含む基地局を提供する。
【００２５】
当該基地局が、ＣＳＩ−ＲＳリソースが複数である場合、ＵＥ−Ｓｐｅｃｉｆｉｃの第２の上位層シグナリングを介して端末側に複数のＣＳＩ−ＲＳリソース中のフィードバックの必要のあるＣＳＩの候補配置集合を通知する第２の通知モジュールを更に含むことが好ましい。
【００２６】
第２の通知モジュールが、ｂｉｔｍａｐシーケンスを介して端末側に候補配置集合を通知する候補通知サブモジュールを含み、ここで、ｂｉｔｍａｐシーケンスの長さは３又は４又は７又は８であって、ｂｉｔｍａｐシーケンス中の各ビットが配置したＣＳＩ−ＲＳリソース異なる集合及び／又は干渉仮説測定フィードバック方式に対応することが好ましい。
【００２７】
指示モジュールが、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビット及び／又は端末側が盲目的に検知した当該端末に属されるＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置によって、端末に対応するＣＳＩを選択してフィードバックすることを動的に指示する動的指示サブモジュールを含むことが好ましい。
【発明の効果】
【００２８】
本発明において、基地局側が端末側による各種ＣＳＩ情報のフィードバックを柔軟に配置することによって、基地局側がＣＳＩを動的に取得することができ、且つ、リンクアダプテーション調節とデータ送信を精確に行うことができ、端末側のアップリンクフィードバックのオーバーヘッドと測定の複雑度を低減できる。
【００２９】
ここで説明する図面は本発明を理解させるためのもので、本発明の一部を構成し、本発明における実施形態と共に本発明を解釈し、本発明を不当に限定するのではない。
【図面の簡単な説明】
【００３０】
【図１】本発明の実施形態に係るＣＳＩフィードバックシグナルの指示配置方法を示すフローチャートである。
【図２】本発明の実施形態に係るＣＳＩの配置を指示する基地局の構造を示すブロック図である。
【発明を実施するための形態】
【００３１】
以下、図面を参照しつつ実施形態を結合して本発明を詳しく説明する。ここで、互いに衝突しない限り、本願の実施形態及び実施形態中の特徴を組み合わせることができる。
図１は、本発明の実施形態に係わるＣＳＩフィードバックシグナルの指示配置方法を示すフローチャートである。図１に示すように、当該方法は以下のステップを含む。
基地局側は、ＵＥ−Ｓｐｅｃｉｆｉｃの上位層シグナリングを介して、端末側にＣＳＩ測定用のＣＳＩ−ＲＳリソースを通知し（ステップＳ１０２）、ここで、ＣＳＩ測定用のＣＳＩ−ＲＳリソースは少なくとも、対応するＣＳＩ−ＲＳリソースのサブフレーム中の時間周波数位置と、対応するＣＳＩ−ＲＳリソースのアンテナポート数の配置と、対応するＣＳＩ−ＲＳリソースの周期及びサブフレーム配置と、対応するＣＳＩ−ＲＳリソースのシーケンス記号と、対応するＣＳＩ−ＲＳリソースのパワー制御情報とを含む。
基地局側が、物理層動的シグナリングを介して端末に対応するＣＳＩリソースを選択してフィードバックすることを指示する（ステップＳ１０４）も含む。
【００３２】
本実施形態において、基地局側で端末側による各種のＣＳＩ情報のフィードバックを柔軟に配置することによって、基地局側が動的にＣＳＩを取得することができ、更に、リンクアダプテーション調節及びデータ送信を行うことができ、端末側のアップリンクフィードバックのオーバーヘッドと測定の複雑度を低減できる効果も実現できる。
【００３３】
上述の実施形態において、端末側に通知するＣＳＩ測定用のＣＳＩ−ＲＳリソースが複数セットであることが可能であるが、複数セットのＣＳＩ−ＲＳリソースの場合、ステップＳ１０４の前に、基地局側がＵＥ−Ｓｐｅｃｉｆｉｃの上位層シグナリングを介して端末側に基地局へフィードバックすべきＣＳＩの候補配置集合を通知する（ステップＳ１０２２）。
【００３４】
ステップＳ１０２において、ＵＥ−Ｓｐｅｃｉｆｉｃの上位層シグナリングで、端末側に基地局に必要なフィードバックＣＳＩのフィードバックを指示するための候補配置集合を端末側に通知する時、ｂｉｔｍａｐのシーケンス通知方式をとることができ、ｂｉｔｍａｐシーケンスの長さを３又は４又は７又は８に固定し、ここで、ｂｉｔｍａｐシーケンス中の各ビットは、配置したＣＳＩ−ＲＳリソースの異なる集合及び／又は干渉仮説測定フィードバック方式に対応する。
【００３５】
ステップＳ１０４において、端末に候補集合から選択してフィードバックするように動的に指示した対応するＣＳＩリソースは、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビット及び／又は端末側で盲目的に検知した当該端末に所属されるＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置を含む。
【００３６】
ここで、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置は少なくとも、対応するＣＣＥの初期位置、対応する集合レベル、対応するサブフレーム番号、対応するシステムフレーム番号の中の一つの情報を含む。
【００３７】
ここで、ＵＥ−Ｓｐｅｃｉｆｉｃの上位層シグナリングにより端末側にＣＳＩ測定用のＣＳＩ−ＲＳリソース数が１であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合が不活性状態であることを通知し、又は基地局側で端末側に対応する上位層シグナリングを配置する必要がない。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、０は上位層で配置した一つのＣＳＩ−ＲＳリソースのＣＳＩをトリガーしないことを表し、１は上位層で配置した一つのＣＳＩ−ＲＳリソースのＣＳＩをトリガーすることを表する。
【００３８】
ここで、ＵＥ−Ｓｐｅｃｉｆｉｃの上位層シグナリングが端末側にＣＳＩ測定用のＣＳＩ−ＲＳリソース数が２であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合が不活性状態であることを通知し、又は基地局側で端末側に対応する上位層シグナリングを配置する必要がない。候補集合が上位層シグナリングが配置した端末側のＣＳＩ−ＲＳリソース測定集合であって、端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは２ビットで、００は、上位層で配置したいずれかのＣＳＩ−ＲＳリソースのＣＳＩもトリガーしないことを表し、０１〜１１はそれぞれ、上位層で配置したＣＳＩ−ＲＳリソースの異なる集合方式及び／又は干渉仮説のＣＳＩをトリガーすることを表する。
【００３９】
ここで、ＵＥ−Ｓｐｅｃｉｆｉｃの上位層シグナリングが端末側にＣＳＩ測定用のＣＳＩ−ＲＳリソース数が２であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合が不活性状態であることを通知し、又は基地局側で端末側に対応する上位層シグナリングを配置する必要がない。候補集合が上位層シグナリングが配置した端末側のＣＳＩ−ＲＳリソース測定集合で、端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、そして、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを考慮しなければならない。
【００４０】
ここで、ＵＥ−Ｓｐｅｃｉｆｉｃの上位層シグナリングが端末側にＣＳＩ測定用のＣＳＩ−ＲＳリソース数が２であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合が不活性状態であることを通知し、又は基地局側で端末側に対応する上位層シグナリングを配置する必要がない。候補集合は上位層シグナリングが配置した端末側のＣＳＩ−ＲＳリソース測定集合で、端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決める。
【００４１】
ここで、ＵＥ−Ｓｐｅｃｉｆｉｃの上位層シグナリングが端末側にＣＳＩ測定用のＣＳＩ−ＲＳリソース数が２であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知し、ＵＥに候補の２つのＣＳＩ−ＲＳリソースの異なる集合方式及び／又は干渉仮説のＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決める。
【００４２】
ここで、ＵＥ−Ｓｐｅｃｉｆｉｃの上位層シグナリングが端末側にＣＳＩ測定用のＣＳＩ−ＲＳリソース数が２であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知し、ＵＥに候補の２つのＣＳＩ−ＲＳリソースの異なる集合方式及び／又は干渉仮説のＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは２ビットで、００は上位層で配置した候補集合中のいずれかのＣＳＩ−ＲＳリソースのＣＳＩもトリガーしないことを表し、０１〜１１はそれぞれ、上位層で配置した候補集合中のＣＳＩ−ＲＳリソースの異なる集合方式及び／又は干渉仮説のＣＳＩをトリガーすることを表する。
【００４３】
ここで、ＵＥ−Ｓｐｅｃｉｆｉｃの上位層シグナリングが端末側にＣＳＩ測定用のＣＳＩ−ＲＳリソース数が２であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知しＵＥに候補の２つのＣＳＩ−ＲＳリソースの異なる集合方式及び／又は干渉仮説のＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置に基づいてＣＳＩ−ＲＳリソースの異なる集合方式及び／又は干渉仮説のＣＳＩのフィードバックを決める。
【００４４】
ここで、ＵＥ−Ｓｐｅｃｉｆｉｃの上位層シグナリングが端末側にＣＳＩ測定用のＣＳＩ−ＲＳリソース数が３であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合が不活性状態であることを通知し、又は基地局側で端末側に対応する上位層シグナリングを配置する必要がない。候補集合は上位層シグナリングが配置した端末側のＣＳＩ−ＲＳリソース測定集合で、端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決める。
【００４５】
ここで、ＵＥ−Ｓｐｅｃｉｆｉｃの上位層シグナリングにより端末側にＣＳＩ測定用のＣＳＩ−ＲＳリソース数が３であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合が不活性状態であることを通知し、又は基地局側で端末側に対応する上位層シグナリングを配置する必要がない。候補集合は上位層シグナリングが配置した端末側のＣＳＩ−ＲＳリソース測定集合であって、端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは２ビットで、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決める。
【００４６】
ここで、ＵＥ−Ｓｐｅｃｉｆｉｃの上位層シグナリングが端末側にＣＳＩ測定用のＣＳＩ−ＲＳリソース数が３であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知し、ＵＥに候補の三つのＣＳＩ−ＲＳリソースの異なる集合方式の及び／又は干渉仮説ＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、０は上位層で配置した候補集合中のいずれかのＣＳＩ−ＲＳリソースのＣＳＩをトリガーしないことを表し、１は上位層で配置した候補集合中のＣＳＩ−ＲＳリソースの異なる集合方式及び／又は干渉仮説のＣＳＩをトリガーすることを表する。
【００４７】
ここで、ＵＥ−Ｓｐｅｃｉｆｉｃの上位層シグナリングが端末側にＣＳＩ測定用のＣＳＩ−ＲＳリソース数が３であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知し、ＵＥに候補の三つのＣＳＩ−ＲＳリソースの異なる集合方式の及び／又は干渉仮説ＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、０は上位層で配置した候補集合中のいずれかのＣＳＩ−ＲＳリソースのＣＳＩもトリガーしないことを表し、１は上位層で配置した候補集合中のＣＳＩ−ＲＳリソースの異なる集合方式及び／又は干渉仮説のＣＳＩをトリガーすることを表する。
【００４８】
ここで、ＵＥ−Ｓｐｅｃｉｆｉｃの上位層シグナリングが端末側にＣＳＩ測定用のＣＳＩ−ＲＳリソース数が３であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知し、ＵＥに候補の三つのＣＳＩ−ＲＳリソースの異なる集合方式及び／又は干渉仮説のＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは２ビットで、００は上位層で配置した候補集合中のいずれかのＣＳＩ−ＲＳリソースのＣＳＩもトリガーしないことを表し、０１〜１１はそれぞれ、上位層で配置した候補集合中のＣＳＩ−ＲＳリソースの異なる集合方式及び／又は干渉仮説のＣＳＩをトリガーすることを表する。
【００４９】
ここで、ＵＥ−Ｓｐｅｃｉｆｉｃの上位層シグナリングが端末側にＣＳＩ測定用のＣＳＩ−ＲＳリソース数が３であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知し、ＵＥに候補の三つのＣＳＩ−ＲＳリソースの異なる集合方式の及び／又は干渉仮説ＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは１ビットで、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決める。
【００５０】
ここで、ＵＥ−Ｓｐｅｃｉｆｉｃの上位層シグナリングが端末側にＣＳＩ測定用のＣＳＩ−ＲＳリソース数が３であると通知した場合、ＵＥ−Ｓｐｅｃｉｆｉｃの上位層シグナリングは端末側に、基地局が必要とする端末によるフィードバックをフィードバックすることを端末側に指示するためのＣＳＩの候補配置集合を通知し、ＵＥに候補の三つのＣＳＩ−ＲＳリソースの異なる集合方式の及び／又は干渉仮説ＣＳＩを通知する。端末に候補集合から選択してフィードバックするように動的に指示した対応するＣＳＩリソースに含まれるＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットは２ビットで、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決める。
【００５１】
上記実施形態中の異なる集合方式は少なくとも、ＣＳＩのフィードバックをトリガーするか否か、異なるＣＳＩを選択してフィードバックする、異なるＣＳＩの組み合わせて又は集合を選択してフィードバックする中の一つを指す。上記実施形態中のＤＣＩ  Ｆｏｒｍａｔ  ０又はＤＣＩ  ｆｏｒｍａｔ  ４又はランダムアクセス応答又はアップリンクスケジューリング許可シグナリングは、端末がフィードバックしたトリガーシグナリングのＤＣＩ  Ｆｏｒｍａｔ  ０又はＤＣＩ  ｆｏｒｍａｔ  ４又はランダムアクセス応答又はアップリンクスケジューリング許可シグナリングを含む。
【００５２】
図２は、本発明の実施形態に係わるＣＳＩの配置を指示する基地局の構造を示すブロック図である。図２に示すように、当該基地局は、ＵＥ−Ｓｐｅｃｉｆｉｃの第１の上位層シグナリングを介して端末側にＣＳＩ測定用のＣＳＩ−ＲＳリソースを通知する第１の通知モジュール１０と、端末側にＣＳＩ−ＲＳリソースに対応するＣＳＩをフィードバックすると指示する指示モジュール２０とを含む。第１の通知モジュール１０と指示モジュール２０とカップリングされる。
【００５３】
本実施形態において、基地局側が端末側により各種のＣＳＩ情報をフィードバックするように柔軟に配置することによって、基地局側がＣＳＩを動的に得ることができ、リンクアダプテーション調節及びデータ送信を精確に行うことができ、端末側のアップリンクフィードバックのオーバーヘッド及び測定の複雑度を低減できる効果を実現できる。
【００５４】
ここで、当該基地局は、ＣＳＩ−ＲＳリソースが複数である場合、ＵＥ−Ｓｐｅｃｉｆｉｃの第２の上位層シグナリングを介して、端末側に複数のＣＳＩ−ＲＳリソースの中のフィードバックすべきＣＳＩの候補配置集合を通知する第２の通知モジュール３０を更に含む。
【００５５】
ここで、第２の通知モジュール３０は、ｂｉｔｍａｐシーケンスを介して端末側に候補配置集合を通知する候補通知サブモジュールを含み、ここで、ｂｉｔｍａｐシーケンスの長さは３又は４又は７又は８であって、ｂｉｔｍａｐシーケンス中の各ビットは配置したＣＳＩ−ＲＳリソース異なる集合及び／又は干渉仮説測定フィードバック方式に対応する。
【００５６】
ここで、指示モジュール２０は、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビット及び／又は端末側で盲目的に検知して得た当該端末に所属されるＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて端末に対応するＣＳＩを選択してフィードバックするように動的に指示する動的指示サブモジュールを含む。
【００５７】
第１実施形態
本実施形態において、ＵＥ１がＲ１１又は更に進化型のユーザであって、基地局側がＵＥ−Ｓｐｅｃｉｆｉｃの上位層シグナリングを介してＵＥ１にＣＳＩ測定用のＣＳＩ−ＲＳリソースを通知するとする。前記ＵＥ−Ｓｐｅｃｉｆｉｃの上位層シグナリングがＵＥ１にＣＳＩ測定用のＣＳＩ−ＲＳリソースを通知した時、基地局側で端末側に対応する上位層シグナリングを配置する必要がない。候補集合は基地局側が配置したＣＳＩ測定用のＣＳＩ−ＲＳリソースで、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットをによって、ＵＥ１が対応するＣＳＩ−ＲＳリソースのＣＳＩをフィードバックするか否かをトリガーし、ここで、０は上位層で配置した一つＣＳＩ−ＲＳリソースのＣＳＩをトリガーしないことを表し、１は上位層で配置した一つＣＳＩ−ＲＳリソースのＣＳＩをトリガーすることを表する。
【００５８】
第２実施形態
本実施形態において、ＵＥ１はＲ１１又は更に進化型のユーザであって、基地局側がＵＥ−Ｓｐｅｃｉｆｉｃの上位層シグナリングを介してＵＥ１にＣＳＩ測定用のＣＳＩ−ＲＳリソースを通知するとする。前記ＵＥ−Ｓｐｅｃｉｆｉｃの上位層シグナリングがＵＥ１にＣＳＩ測定用のＣＳＩ−ＲＳリソースを通知した時、基地局側で端末側に対応する上位層シグナリングを配置する必要がない。候補集合は基地局側が配置したＣＳＩ測定用のＣＳＩ−ＲＳリソースで、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応するＣＳＩ−ＲＳリソースのＣＳＩをフィードバックするか否かをトリガーし、ここで、００は上位層で配置した一つＣＳＩ−ＲＳリソースのＣＳＩをトリガーしないことを表し、０１は、上位層で配置した一つＣＳＩ−ＲＳリソースと一番目のＩＭＲを結合して演算したＣＳＩのフィードバックをトリガーすることを表し、１０は、上位層で配置した一つＣＳＩ−ＲＳリソースと二番目のＩＭＲ（Interference  measurement  resource：干渉測定リソース）を結合して演算したＣＳＩのフィードバックをトリガーすることを表し、１１は、保留するか又は上位層で配置した一つＣＳＩ−ＲＳリソースと三番目のＩＭＲを結合して演算したＣＳＩのフィードバックをトリガーすることを表する。
【００５９】
第３実施形態
本実施形態において、ＵＥ１がＲ１１又は更に進化型のユーザであって、基地局側がＵＥ−Ｓｐｅｃｉｆｉｃの上位層シグナリングを介してＵＥ１にＣＳＩ測定用のＣＳＩ−ＲＳリソースを通知するとする。前記ＵＥ−Ｓｐｅｃｉｆｉｃの上位層シグナリングがＵＥ１にＣＳＩ測定用のＣＳＩ−ＲＳリソースを通知した時、基地局側で端末側に対応する上位層シグナリングを配置する必要がない。候補集合は基地局側で配置したＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した一つＣＳＩ−ＲＳリソースのＣＳＩをトリガーしないことを表し、１は、上位層で配置した一つＣＳＩ−ＲＳリソースとＮ番目（Ｎ＞０）のＩＭＲを結合して演算したＣＳＩのフィードバックをトリガーすることを表し、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決め、ＤＣＩ  Ｆｏｒｍａｔ  ０又はＤＣＩ  ｆｏｒｍａｔ  ４又はランダムアクセス応答又はアップリンクスケジューリング許可シグナリングのＣＣＥ開始位置がｎＣＣＥ，ｏｆｆｓｅｔであって、且つｎＣＣＥ，ｏｆｆｓｅｔが実際のＤＣＩの盲目的検知の開始位置に対する遷移ＣＣＥ数であると、集合レベルＬ＝１、ｎＣＣＥ，ｏｆｆｓｅｔ＝０／２／４又はＬ＝２、ｎＣＣＥ，ｏｆｆｓｅｔ＝０／４／８又はＬ＝３、ｎＣＣＥ，ｏｆｆｓｅｔ＝０又はＬ＝４、ｎＣＣＥ，ｏｆｆｓｅｔ＝０である場合、上位層で配置した一つＣＳＩ−ＲＳリソースと一番目のＩＭＲを結合して演算したＣＳＩを選択してフィードバックし、集合レベルＬ＝１、ｎＣＣＥ，ｏｆｆｓｅｔ＝１／３／５又はＬ＝２、ｎＣＣＥ，ｏｆｆｓｅｔ＝２／６／１０又はＬ＝３、ｎＣＣＥ，ｏｆｆｓｅｔ＝４又はＬ＝４、ｎＣＣＥ，ｏｆｆｓｅｔ＝８である場合、上位層で配置した一つＣＳＩ−ＲＳリソースと二番目のＩＭＲを結合して演算したＣＳＩを選択してフィードバックする。
【００６０】
第４実施形態
本実施形態において、ＵＥ１がＲ１１又は更に進化型のユーザであって、基地局側がＵＥ−Ｓｐｅｃｉｆｉｃの上位層シグナリングを介してＵＥ１にＣＳＩ測定用のＣＳＩ−ＲＳリソースを通知するとする。前記ＵＥ−Ｓｐｅｃｉｆｉｃの上位層シグナリングがＵＥ１にＣＳＩ測定用のＣＳＩ−ＲＳリソースを通知した場合、基地局側で端末側に対応する上位層シグナリングを配置する必要がない。候補集合は基地局側が配置したＣＳＩ測定用のＣＳＩ−ＲＳリソースであって、また、基地局側がＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した一つＣＳＩ−ＲＳリソースのＣＳＩをトリガーしないことを表し、１は、上位層で配置した一つＣＳＩ−ＲＳリソースとＮ番目（Ｎ＞０）のＩＭＲを結合して演算したＣＳＩのフィードバックをトリガーすることを表し、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置に基づいて、ＣＳＩ−ＲＳリソースの異なる集合方式及び／又は干渉仮説のＣＳＩのフィードバックを決め、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数サブフレームである時、上位層で配置した一つＣＳＩ−ＲＳリソースと一番目のＩＭＲを結合して演算したＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数サブフレームである時、上位層で配置した一つＣＳＩ−ＲＳリソースと二番目のＩＭＲを結合して演算したＣＳＩを選択してフィードバックする。
【００６１】
第５実施形態
本実施形態において、ＵＥ１がＲ１１又は更に進化型のユーザであって、基地局側がＵＥ−Ｓｐｅｃｉｆｉｃの上位層シグナリングを介してＵＥ１にＣＳＩ測定用のＣＳＩ−ＲＳリソースを通知するとする。前記ＵＥ−Ｓｐｅｃｉｆｉｃの上位層シグナリングがＵＥ１もＣＳＩ測定用のＣＳＩ−ＲＳリソースを通知した時、基地局側で端末側に対応する上位層シグナリングを配置する必要がない。候補集合は基地局側が配置したＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した一つＣＳＩ−ＲＳリソースのＣＳＩをトリガーしないことを表し、１は上位層で配置した一つＣＳＩ−ＲＳリソースとＮ番目（Ｎ＞０）のＩＭＲを結合して演算したＣＳＩを選択してフィードバックすることを表し、また、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソース位置に基づいて、ＣＳＩ−ＲＳリソースの異なる集合方式及び／又は干渉仮説のＣＳＩのフィードバックを決め、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数システムフレームである時、上位層で配置した一つＣＳＩ−ＲＳリソースと一番目のＩＭＲを結合して演算したＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数システムフレームである時、上位層で配置した一つＣＳＩ−ＲＳリソースと二番目のＩＭＲを結合して演算したＣＳＩを選択してフィードバックする。
【００６２】
第６実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は上位層で配置した２セットのＣＳＩ−ＲＳリソースのＣＳＩをトリガーすることを表する。
【００６３】
第７実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は全ての可能な上位層で配置した２セットのＣＳＩ−ＲＳリソースの集合方式及び／又は干渉仮説のＣＳＩのフィードバックをトリガーすることを表する。
【００６４】
第８実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は上位層で配置した２セットのＣＳＩ−ＲＳリソースの集合方式及び／又は干渉仮説のＣＳＩのフィードバックをトリガーすることを表する。ここで、どの集合方式及び／又は干渉仮説のＣＳＩをフィードバックするかは、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングのＣＣＥ開始位置がｎＣＣＥ，ｏｆｆｓｅｔであって、且つ、ｎＣＣＥ，ｏｆｆｓｅｔが実際のＤＣＩの盲目的検知の開始位置に対する遷移ＣＣＥ数であると、集合レベルＬ＝１、ｎＣＣＥ，ｏｆｆｓｅｔ＝０／２／４又はＬ＝２、ｎＣＣＥ，ｏｆｆｓｅｔ＝０／４／８又はＬ＝３、ｎＣＣＥ，ｏｆｆｓｅｔ＝０又はＬ＝４、ｎＣＣＥ，ｏｆｆｓｅｔ＝０である場合、上位層で配置した第１種の集合方式及び／又は干渉仮説のＣＳＩを選択してフィードバックし、集合レベルＬ＝１、ｎＣＣＥ，ｏｆｆｓｅｔ＝１／３／５又はＬ＝２、ｎＣＣＥ，ｏｆｆｓｅｔ＝２／６／１０又はＬ＝３、ｎＣＣＥ，ｏｆｆｓｅｔ＝４又はＬ＝４、ｎＣＣＥ，ｏｆｆｓｅｔ＝８である場合、上位層で配置した第２種の集合方式及び／又は干渉仮説のＣＳＩを選択してフィードバックする。
【００６５】
第９実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は上位層で配置した２セットのＣＳＩ−ＲＳリソースの集合方式及び／又は干渉仮説のＣＳＩのフィードバックをトリガーすることを表する。ここで、どの集合方式及び／又は干渉仮説のＣＳＩをフィードバックするかはＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数システムフレームである時、上位層で配置した第１種の集合方式及び／又は干渉仮説のＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数システムフレームである時、上位層で配置した第２種の集合方式及び／又は干渉仮説のＣＳＩを選択してフィードバックする。
【００６６】
第１０実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は上位層で配置した２セットのＣＳＩ−ＲＳリソースの集合方式及び／又は干渉仮説のＣＳＩのフィードバックをトリガーすることを表する。ここで、どの集合方式及び／又は干渉仮説のＣＳＩをフィードバックするかはＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数サブフレームである時、上位層で配置した第１種の集合方式及び／又は干渉仮説のＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数サブフレームである時、上位層で配置した第２種の集合方式及び／又は干渉仮説のＣＳＩを選択してフィードバックする。
【００６７】
第１１実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応するＣＳＩ−ＲＳリソースのＣＳＩをフィードバックするか否かをトリガーし、ここで、００は上位層で配置した２セットのＣＳＩ−ＲＳリソースのＣＳＩをトリガーしないことを表し、０１は上位層で配置した２セットのＣＳＩ−ＲＳリソースのＣＳＩの第１種の集合方式及び／又は干渉測定方式をトリガーすることを表し、１０は上位層で配置した２セットのＣＳＩ−ＲＳリソースのＣＳＩの第２種の集合方式及び／又は干渉測定方式をトリガーすることを表し、１１は上位層で配置した２セットのＣＳＩ−ＲＳリソースのＣＳＩ第３種の集合方式及び／又は干渉測定方式をトリガーすることを表する。
【００６８】
第１２実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応するＣＳＩ−ＲＳリソースのＣＳＩをフィードバックするか否かをトリガーし、ここで、００は上位層で配置した２セットのＣＳＩ−ＲＳリソースのＣＳＩをトリガーしないことを表し、０１は上位層で配置した２セットのＣＳＩ−ＲＳリソースのＣＳＩの第１種と第２種の集合方式及び／又は干渉測定方式をトリガーすることを表し、１０は上位層で配置した２セットのＣＳＩ−ＲＳリソースのＣＳＩの第３種と第４種の集合方式及び／又は干渉測定方式をトリガーすることを表し、１１は上位層で配置した２セットのＣＳＩ−ＲＳリソースのＣＳＩの第５種と第６種の集合方式及び／又は干渉測定方式をトリガーすることを表する。また、二つの集合方式及び／又は干渉測定方式から一つの集合方式及び／又は干渉測定方式ＣＳＩを選択してフィードバックする場合、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングのＣＣＥ開始位置がｎＣＣＥ，ｏｆｆｓｅｔであって、且つ、ｎＣＣＥ，ｏｆｆｓｅｔが実際のＤＣＩの盲目的検知の開始位置に対する遷移ＣＣＥ数であると、集合レベルＬ＝１、ｎＣＣＥ，ｏｆｆｓｅｔ＝０／２／４又はＬ＝２、ｎＣＣＥ，ｏｆｆｓｅｔ＝０／４／８又はＬ＝３、ｎＣＣＥ，ｏｆｆｓｅｔ＝０又はＬ＝４、ｎＣＣＥ，ｏｆｆｓｅｔ＝０である場合、上位層で配置した一番目の集合方式及び／又は干渉仮説のＣＳＩを選択してフィードバックし、集合レベルＬ＝１、ｎＣＣＥ，ｏｆｆｓｅｔ＝１／３／５又はＬ＝２、ｎＣＣＥ，ｏｆｆｓｅｔ＝２／６／１０又はＬ＝３、ｎＣＣＥ，ｏｆｆｓｅｔ＝４又はＬ＝４、ｎＣＣＥ，ｏｆｆｓｅｔ＝８である場合、上位層で配置した二番目の集合方式及び／又は干渉仮説のＣＳＩを選択してフィードバックする。
【００６９】
第１３実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応するＣＳＩ−ＲＳリソースのＣＳＩをフィードバックするか否かをトリガーし、ここで、００は上位層で配置した２セットのＣＳＩ−ＲＳリソースのＣＳＩをトリガーしないことを表し、０１は上位層で配置した２セットのＣＳＩ−ＲＳリソースのＣＳＩの第１種と第２種の集合方式及び／又は干渉測定方式をトリガーすることを表し、１０は上位層で配置した２セットのＣＳＩ−ＲＳリソースのＣＳＩの第３種と第４種の集合方式及び／又は干渉測定方式をトリガーすることを表し、１１は上位層で配置した２セットのＣＳＩ−ＲＳリソースのＣＳＩの第５種と第６種の集合方式及び／又は干渉測定方式をトリガーすることを表する。また、二つの集合方式及び／又は干渉測定方式から一つの集合方式及び／又は干渉測定方式ＣＳＩを選択してフィードバックする場合、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数サブである時、上位層で配置した一番目の集合方式及び／又は干渉仮説のＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数サブである時、上位層で配置した二番目の集合方式及び／又は干渉仮説のＣＳＩを選択してフィードバックする。
【００７０】
第１４実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側で端末側に対応する上位層シグナリングを配置する必要がない。候補集合は基地局側が配置した２セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応するＣＳＩ−ＲＳリソースのＣＳＩをフィードバックするか否かをトリガーし、ここで、００は上位層で配置した２セットのＣＳＩ−ＲＳリソースのＣＳＩをトリガーしないことを表し、０１は上位層で配置した２セットのＣＳＩ−ＲＳリソースのＣＳＩの第１種と第２種の集合方式及び／又は干渉測定方式をトリガーすることを表し、１０は上位層で配置した２セットのＣＳＩ−ＲＳリソースのＣＳＩの第３種と第４種の集合方式及び／又は干渉測定方式をトリガーすることを表し、１１は上位層で配置した２セットのＣＳＩ−ＲＳリソースのＣＳＩの第５種と第６種の集合方式及び／又は干渉測定方式をトリガーすることを表する。また、二つの集合方式及び／又は干渉測定方式から一つの集合方式及び／又は干渉測定方式ＣＳＩを選択してフィードバックする場合、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数システムフレームである時、上位層で配置した一番目の集合方式及び／又は干渉仮説のＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数システムフレームである時、上位層で配置した二番目の集合方式及び／又は干渉仮説のＣＳＩを選択してフィードバックする。
【００７１】
第１５実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側は端末側に対応するＣＳＩフィードバック制限集合上位層シグナリングである候補集合を配置する。候補集合をＴｒｉｇｇｅｒ  ｒｅｓｏｕｒｃｅ  １（ｘ  ｙ）と定義することができる。
ここで、一番目のビットｘは、配置した一番目のＣＳＩ−ＲＳリソースのＣＳＩをフィードバックするか否かを表し、二番目のビットｙは、配置した二番目のＣＳＩ−ＲＳリソースのＣＳＩをフィードバックするか否かを表し、０は対応するＣＳＩをフィードバックしないことを表し、１は対応するＣＳＩをフィードバックすることを表し、ｘとｙが同時に１であると、一番目のＣＳＩ−ＲＳリソースと二番目のＣＳＩ−ＲＳリソースの集合のＣＳＩをフィードバックする必要がある。
基地局側がＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応する候補集合中のＣＳＩ−ＲＳリソースのＣＳＩをフィードバックするか否かをトリガーし、ここで、０は候補集合中のＣＳＩ−ＲＳリソースのＣＳＩのフィードバックをトリガーしないことを表し、１は候補集合中のＣＳＩ−ＲＳリソースのＣＳＩのフィードバックをトリガーすることを表する。
【００７２】
第１６実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側は端末側に対応するＣＳＩフィードバック制限集合上位層シグナリングである候補集合を配置する。候補集合を
Ｔｒｉｇｇｅｒ  ｒｅｓｏｕｒｃｅ  １（ｘ  ｙ  ｚ）
と定義することができる。
ここで、一番目のビットｘは配置した一番目のＣＳＩ−ＲＳリソースのＣＳＩをフィードバックするか否かを表し、二番目のビットｙは配置した二番目のＣＳＩ−ＲＳリソースのＣＳＩをフィードバックするか否かを表し、三番目のビットｚは一番目のＣＳＩ−ＲＳリソースと二番目のＣＳＩ−ＲＳリソースの集合のＣＳＩをフィードバックするか否かを表し、０は対応するＣＳＩをフィードバックしないことを表し、１は対応するＣＳＩをフィードバックすることを表する。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応する候補集合中のＣＳＩ−ＲＳリソースのＣＳＩをフィードバックするか否かをトリガーし、ここで、０は候補集合中のＣＳＩ−ＲＳリソースのＣＳＩのフィードバックをトリガーしないことを表し、１は候補集合中のＣＳＩ−ＲＳリソースのＣＳＩのフィードバックをトリガーすることを表する。異なるＴｒｉｇｇｅｒ  ｒｅｓｏｕｒｃｅ中のビットは同一又は異なるＣＳＩ−ＲＳリソースの異なるＩＭＲ仮説状況を表することができる。
【００７３】
第１７実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側は端末側に対応するＣＳＩフィードバック制限集合上位層シグナリングである候補集合を配置する。候補集合を以下の方式で定義することができる。
Ｔｒｉｇｇｅｒ  ｒｅｓｏｕｒｃｅ  １（ｘ１  ｙ１  ｚ１）
Ｔｒｉｇｇｅｒ  ｒｅｓｏｕｒｃｅ  ２（ｘ２  ｙ２  ｚ２）
Ｔｒｉｇｇｅｒ  ｒｅｓｏｕｒｃｅ  ３（ｘ３  ｙ３  ｚ３）
ここで、一番目のビットｘｎは配置した一番目のＣＳＩ−ＲＳリソースのＣＳＩをフィードバックするか否かを表し、二番目のビットｙｎは配置した二番目のＣＳＩ−ＲＳリソースのＣＳＩをフィードバックするか否かを表し、三番目のビットｚｎは一番目のＣＳＩ−ＲＳリソースと二番目のＣＳＩ−ＲＳリソースの集合のＣＳＩをフィードバックするか否かを表し、０は対応するＣＳＩをフィードバックしないことを表し、１は対応するＣＳＩをフィードバックすることを表する。異なるＴｒｉｇｇｅｒ  ｒｅｓｏｕｒｃｅ中のビットが同一又は異なるＣＳＩ−ＲＳリソースの異なるＩＭＲ仮説状況を表することができる。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応する候補集合中のＣＳＩ−ＲＳリソースのＣＳＩをフィードバックするか否かをトリガーし、ここで、００は候補集合中のＣＳＩ−ＲＳリソースのＣＳＩのフィードバックをトリガーしないことを表し、０１は候補集合中のＴｒｉｇｇｅｒ  ｒｅｓｏｕｒｃｅ  １のＣＳＩをトリガーすることを表し、１０は候補集合中のＴｒｉｇｇｅｒ  ｒｅｓｏｕｒｃｅ  ２のＣＳＩをトリガーすることを表し、１１は候補集合中のＴｒｉｇｇｅｒ  ｒｅｓｏｕｒｃｅ  ３のＣＳＩをトリガーすることを表する。
【００７４】
第１８実施形態
本実施形態において、ＵＥ１がＲ１１又は更に進化型のユーザであって、基地局側がＵＥ−Ｓｐｅｃｉｆｉｃの上位層シグナリングを介してＵＥ１に２セットのＣＳＩ測定用のＣＳＩ−ＲＳリソースを通知するとする。前記ＵＥ−Ｓｐｅｃｉｆｉｃの上位層シグナリングがＵＥ１に２セットのＣＳＩ測定用のＣＳＩ−ＲＳリソースを通知した時、基地局側は端末側に対応するＣＳＩフィードバック制限集合上位層シグナリングである候補集合を配置する。候補集合を以下の方式で定義することができる。
Ｔｒｉｇｇｅｒ  ｒｅｓｏｕｒｃｅ  １（ｘ１  ｙ１  ｚ１）
Ｔｒｉｇｇｅｒ  ｒｅｓｏｕｒｃｅ  ２（ｘ２  ｙ２  ｚ２）
Ｔｒｉｇｇｅｒ  ｒｅｓｏｕｒｃｅ  ３（ｘ３  ｙ３  ｚ３）
Ｔｒｉｇｇｅｒ  ｒｅｓｏｕｒｃｅ  ４（ｘ４  ｙ４  ｚ４）
Ｔｒｉｇｇｅｒ  ｒｅｓｏｕｒｃｅ  ５（ｘ５  ｙ５  ｚ５）
Ｔｒｉｇｇｅｒ  ｒｅｓｏｕｒｃｅ  ６（ｘ６  ｙ６  ｚ６）
ここで、一番目のビットｘｎは配置した一番目のＣＳＩ−ＲＳリソースのＣＳＩをフィードバックするか否かを表し、二番目のビットｙｎは配置した二番目のＣＳＩ−ＲＳリソースのＣＳＩをフィードバックするか否かを表し、三番目のビットｚｎは一番目のＣＳＩ−ＲＳリソースと二番目のＣＳＩ−ＲＳリソースの集合のＣＳＩをフィードバックするか否かを表し、０は対応するＣＳＩをフィードバックしないことを表し、１は対応するＣＳＩをフィードバックすることを表する。異なるＴｒｉｇｇｅｒ  ｒｅｓｏｕｒｃｅ中のビットは同一又は異なるＣＳＩ−ＲＳリソースの異なるＩＭＲ仮説状況を表することができる。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応する候補集合中のＣＳＩ−ＲＳリソースのＣＳＩをフィードバックするか否かをトリガーし、ここで、００は候補集合中のＣＳＩ−ＲＳリソースのＣＳＩのフィードバックをトリガーしないことを表し、０１は候補集合中のＴｒｉｇｇｅｒ  ｒｅｓｏｕｒｃｅ  １とＴｒｉｇｇｅｒ  ｒｅｓｏｕｒｃｅ  ２のＣＳＩをトリガーすることを表し、１０は候補集合中のＴｒｉｇｇｅｒ  ｒｅｓｏｕｒｃｅ  ３  とＴｒｉｇｇｅｒ  ｒｅｓｏｕｒｃｅ  ４のＣＳＩをトリガーすることを表し、１１は候補集合中のＴｒｉｇｇｅｒ  ｒｅｓｏｕｒｃｅ  ５と  Ｔｒｉｇｇｅｒ  ｒｅｓｏｕｒｃｅ  ６のＣＳＩをトリガーすることを表する。
また、２つのＴｒｉｇｇｅｒ  ｒｅｓｏｕｒｃｅから一つの集合方式及び／又は干渉測定方式のＣＳＩを選択してフィードバックする必要がある場合、集合方式及び／又は干渉仮説のＣＳＩをＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決めることができる。ＤＣＩ  Ｆｏｒｍａｔ  ０又はＤＣＩ  ｆｏｒｍａｔ  ４又はランダムアクセス応答又はアップリンクスケジューリング許可シグナリングのＣＣＥ開始位置がｎＣＣＥ，ｏｆｆｓｅｔであって、且つ、ｎＣＣＥ，ｏｆｆｓｅｔが実際のＤＣＩの盲目的検知の開始位置に対する遷移ＣＣＥ数であると、集合レベルＬ＝１、ｎＣＣＥ，ｏｆｆｓｅｔ＝０／２／４又はＬ＝２、ｎＣＣＥ，ｏｆｆｓｅｔ＝０／４／８又はＬ＝３、ｎＣＣＥ，ｏｆｆｓｅｔ＝０又はＬ＝４、ｎＣＣＥ，ｏｆｆｓｅｔ＝０である場合、上位層で配置した一番目のＴｒｉｇｇｅｒ  ｒｅｓｏｕｒｃｅのＣＳＩを選択してフィードバックし、集合レベルＬ＝１、ｎＣＣＥ，ｏｆｆｓｅｔ＝１／３／５又はＬ＝２、ｎＣＣＥ，ｏｆｆｓｅｔ＝２／６／１０又はＬ＝３、ｎＣＣＥ，ｏｆｆｓｅｔ＝４又はＬ＝４、ｎＣＣＥ，ｏｆｆｓｅｔ＝８である場合、上位層で配置した二番目のＴｒｉｇｇｅｒ  ｒｅｓｏｕｒｃｅのＣＳＩを選択してフィードバックする。
【００７５】
第１９実施形態
ＵＥ１がＲ１１又は更に進化型のユーザであって、基地局側がＵＥ−Ｓｐｅｃｉｆｉｃの上位層シグナリングを介してＵＥ１に３セットのＣＳＩ測定用のＣＳＩ−ＲＳリソースを通知したとする。前記ＵＥ−Ｓｐｅｃｉｆｉｃの上位層シグナリングによりＵＥ１に３セットのＣＳＩ測定用のＣＳＩ−ＲＳリソースを通知した場合、基地局側で端末側に対応する上位層シグナリングを配置する必要がない。候補集合は基地局側で配置した３セットのＣＳＩ測定用のＣＳＩ−ＲＳリソースであって、また、基地局側は、ＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は上位層で配置した２セットのＣＳＩ−ＲＳリソースのＣＳＩをトリガーすることを表する。
【００７６】
第２０実施形態
本実施形態において、ＵＥ１がＲ１１又は更に進化型のユーザであって、基地局側がＵＥ−Ｓｐｅｃｉｆｉｃの上位層シグナリングを介して、ＵＥ１に３セットのＣＳＩ測定用のＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知した場合、基地局側で端末側に対応する上位層シグナリングを配置する必要がない。候補集合は基地局側が配置した３セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は全ての可能な上位層で配置した２セットのＣＳＩ−ＲＳリソースの集合方式及び／又は干渉仮説のＣＳＩのフィードバックをトリガーすることを表する。
【００７７】
第２１実施形態
本実施形態において、ＵＥ１がＲ１１又は更に進化型のユーザであって、基地局側がＵＥ−Ｓｐｅｃｉｆｉｃの上位層シグナリングを介してＵＥ１に３セットのＣＳＩ測定用のＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知した場合、基地局側で端末側に対応する上位層シグナリングを配置する必要がない。候補集合は基地局側で配置した３セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した３セットのＣＳＩ−ＲＳリソースのＣＳＩをトリガーしないことを表し、１は上位層で配置した３セットのＣＳＩ−ＲＳリソースの集合方式及び／又は干渉仮説のＣＳＩのフィードバックをトリガーすることを表する。ここで、どの集合方式及び／又は干渉仮説のＣＳＩをフィードバックするかはＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングのＣＣＥ開始位置がｎＣＣＥ，ｏｆｆｓｅｔであって、且つｎＣＣＥ，ｏｆｆｓｅｔが実際のＤＣＩの盲目的検知の開始位置に対する遷移ＣＣＥ数であると、集合レベルＬ＝１、ｎＣＣＥ，ｏｆｆｓｅｔ＝０／２／４又はＬ＝２、ｎＣＣＥ，ｏｆｆｓｅｔ＝０／４／８又はＬ＝３、ｎＣＣＥ，ｏｆｆｓｅｔ＝０又はＬ＝４、ｎＣＣＥ，ｏｆｆｓｅｔ＝０であると、上位層で配置した第１種の集合方式及び／又は干渉仮説のＣＳＩを選択してフィードバックし、集合レベルＬ＝１、ｎＣＣＥ，ｏｆｆｓｅｔ＝１／３／５又はＬ＝２、ｎＣＣＥ，ｏｆｆｓｅｔ＝２／６／１０又はＬ＝３、ｎＣＣＥ，ｏｆｆｓｅｔ＝４又はＬ＝４、ｎＣＣＥ，ｏｆｆｓｅｔ＝８である場合、上位層で配置した第２種の集合方式及び／又は干渉仮説のＣＳＩを選択してフィードバックする。
【００７８】
第２２実施形態
本実施形態において、ＵＥ１がＲ１１又は更に進化型のユーザであって、基地局側がＵＥ−Ｓｐｅｃｉｆｉｃの上位層シグナリングを介してＵＥ１に３セットのＣＳＩ測定用のＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知する場合、基地局側で端末側に対応する上位層シグナリングを配置する必要がない。候補集合は基地局側で配置した３セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は上位層で配置した２セットのＣＳＩ−ＲＳリソースの集合方式及び／又は干渉仮説のＣＳＩのフィードバックをトリガーすることを表する。ここで、どの集合方式及び／又は干渉仮説のＣＳＩをフィードバックするかはＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数システムフレームである時、上位層で配置した第１種の集合方式及び／又は干渉仮説のＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数システムフレームである時、上位層で配置した第２種の集合方式及び／又は干渉仮説のＣＳＩを選択してフィードバックする。
【００７９】
第２３実施形態
本実施形態において、ＵＥ１がＲ１１又は更に進化型のユーザであって、基地局側がＵＥ−Ｓｐｅｃｉｆｉｃの上位層シグナリングを介してＵＥ１に３セットのＣＳＩ測定用のＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知する場合、基地局側で端末側に対応する上位層シグナリングを配置する必要がない。候補集合は基地局側で配置した３セットのＣＳＩ測定用のＣＳＩ−ＲＳリソースであって、また、基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応するＣＳＩ−ＲＳリソースのＣＳＩをフィードバックするか否かをトリガーし、ここで、０は上位層で配置した２セットのＣＳＩ−ＲＳリソースのＣＳＩをトリガーしないことを表し、１は上位層で配置した２セットのＣＳＩ−ＲＳリソースの集合方式及び／又は干渉仮説のＣＳＩのフィードバックをトリガーすることを表する。ここで、どの集合方式及び／又は干渉仮説のＣＳＩをフィードバックするかはＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数サブである時、上位層で配置した第１種の集合方式及び／又は干渉仮説のＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数サブである時、上位層で配置した第２種の集合方式及び／又は干渉仮説のＣＳＩを選択してフィードバックする。
【００８０】
第２４実施形態
本実施形態において、ＵＥ１がＲ１１又は更に進化型のユーザであって、基地局側がＵＥ−Ｓｐｅｃｉｆｉｃの上位層シグナリングを介してＵＥ１に３セットのＣＳＩ測定用のＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知する場合、基地局側は端末側に対応するＣＳＩフィードバック制限集合上位層シグナリングである候補集合を配置する。候補集合を以下の方式で定義することができる。
Ｔｒｉｇｇｅｒ  ｒｅｓｏｕｒｃｅ  １（ｘ１  ｙ１  ｚ１）
Ｔｒｉｇｇｅｒ  ｒｅｓｏｕｒｃｅ  ２（ｘ２  ｙ２  ｚ２）
Ｔｒｉｇｇｅｒ  ｒｅｓｏｕｒｃｅ  ３（ｘ３  ｙ３  ｚ３）
ここで、一番目のビットｘｎは配置した一番目のＣＳＩ−ＲＳリソースのＣＳＩをフィードバックするか否かを表し、二番目のビットｙｎは配置した二番目のＣＳＩ−ＲＳリソースのＣＳＩをフィードバックするか否かを表し、三番目のビットｚｎは三番目のＣＳＩ−ＲＳリソースのＣＳＩをフィードバックするか否かを表し、０は対応するＣＳＩをフィードバックしないことを表し、１は対応するＣＳＩをフィードバックすることを表する。同一のＴｒｉｇｇｅｒ  ｒｅｓｏｕｒｃｅのいずれかの二つ又は三つのビットが１であると、対応する二つ又は三つのＣＳＩ−ＲＳ  Ｒｅｓｏｕｒｅｃｅを集合してフィードバックする必要があることを表する。異なるＴｒｉｇｇｅｒ  ｒｅｓｏｕｒｃｅ中のビットが同一又は異なるＣＳＩ−ＲＳリソースの異なるＩＭＲ仮説状況を表することもできる。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応する候補集合中のＣＳＩ−ＲＳリソースのＣＳＩをフィードバックするか否かをトリガーし、ここで、００は候補集合中のＣＳＩ−ＲＳリソースのＣＳＩのフィードバックをトリガーしないことを表し、０１は候補集合中のＴｒｉｇｇｅｒ  ｒｅｓｏｕｒｃｅ  １のＣＳＩをトリガーすることを表し、１０は候補集合中のＴｒｉｇｇｅｒ  ｒｅｓｏｕｒｃｅ  ２のＣＳＩをトリガーすることを表し、１１は候補集合中のＴｒｉｇｇｅｒ  ｒｅｓｏｕｒｃｅ  ３のＣＳＩをトリガーすることを表する。
【００８１】
第２５実施形態
本実施形態において、ＵＥ１がＲ１１又は更に進化型のユーザであって、基地局側がＵＥ−Ｓｐｅｃｉｆｉｃの上位層シグナリングを介してＵＥ１に３セットのＣＳＩ測定用のＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知する場合、基地局側は端末側に対応するＣＳＩフィードバック制限集合上位層シグナリングである候補集合を配置する。候補集合を以下の方式で定義することができる。
Ｔｒｉｇｇｅｒ  ｒｅｓｏｕｒｃｅ  １（ｘ１  ｙ１  ｚ１）
ここで、一番目のビットｘｎは配置した一番目のＣＳＩ−ＲＳリソースのＣＳＩをフィードバックするか否かを表し、二番目のビットｙｎは配置した二番目のＣＳＩ−ＲＳリソースのＣＳＩをフィードバックするか否かを表し、三番目のビットｚｎは三番目のＣＳＩ−ＲＳリソースのＣＳＩをフィードバックするか否かを表し、０は対応するＣＳＩをフィードバックしないことを表し、１は対応するＣＳＩをフィードバックすることを表する。同一のＴｒｉｇｇｅｒ  ｒｅｓｏｕｒｃｅのいずれかの二つ又は三つのビットが１であると、対応する二つ又は三つのＣＳＩ−ＲＳ  ｒｅｓｏｕｒｅｃｅを集合してフィードバックする必要があることを表する。異なるＴｒｉｇｇｅｒ  ｒｅｓｏｕｒｃｅ中のビットが同一又は異なるＣＳＩ−ＲＳリソースの異なるＩＭＲ仮説状況を表することもできる。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの１ビットによって、ＵＥ１が対応する候補集合中のＣＳＩ−ＲＳリソースのＣＳＩをフィードバックするか否かをトリガーし、ここで、０は候補集合中のＣＳＩ−ＲＳリソースのＣＳＩのフィードバックをトリガーしないことを表し、１は候補集合中のＴｒｉｇｇｅｒ  ｒｅｓｏｕｒｃｅ  １のＣＳＩをトリガーすることを表する。
【００８２】
第２６実施形態
本実施形態において、ＵＥ１がＲ１１又は更に進化型のユーザであって、基地局側がＵＥ−Ｓｐｅｃｉｆｉｃの上位層シグナリングを介してＵＥ１に３セットのＣＳＩ測定用のＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知する場合、基地局側は端末側に対応するＣＳＩフィードバック制限集合上位層シグナリングである候補集合を配置する。候補集合を以下の方式で定義することができる。
Ｔｒｉｇｇｅｒ  ｒｅｓｏｕｒｃｅ  １（ｘ１  ｙ１  ｚ１  ｘｘ１  ｙｙ１  ｚｚ１  ｎｎ１）
Ｔｒｉｇｇｅｒ  ｒｅｓｏｕｒｃｅ  ２（ｘ２  ｙ２  ｚ２  ｘｘ２  ｙｙ２  ｚｚ２  ｎｎ２）
Ｔｒｉｇｇｅｒ  ｒｅｓｏｕｒｃｅ  ３（ｘ３  ｙ３  ｚ３  ｘｘ３  ｙｙ３  ｚｚ３  ｎｎ３）
ここで、一番目のビットｘｎは配置した一番目のＣＳＩ−ＲＳリソースのＣＳＩをフィードバックするか否かを表し、二番目のビットｙｎは配置した二番目のＣＳＩ−ＲＳリソースのＣＳＩをフィードバックするか否かを表し、三番目のビットｚｎは配置した三番目のＣＳＩ−ＲＳリソースのＣＳＩをフィードバックするか否かを表し、ｘｘｎ、ｙｙｎ、ｚｚｎ、ｎｎｎ（ｎ＝１，２，３）は一番目のＣＳＩ−ＲＳリソースと二番目のＣＳＩ−ＲＳリソースと三番目のＣＳＩ−ＲＳリソースの各種の組合せの集合又は干渉仮説のＣＳＩをフィードバックするか否かを表し、０は対応するＣＳＩをフィードバックしないことを表し、１は対応するＣＳＩをフィードバックすることを表する。異なるＴｒｉｇｇｅｒ  ｒｅｓｏｕｒｃｅ中のビットが同一又は異なるＣＳＩ−ＲＳリソースの異なるＩＭＲ仮説状況を表することもできる。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応する候補集合中のＣＳＩ−ＲＳリソースのＣＳＩをフィードバックするか否かをトリガーし、ここで、００は候補集合中のＣＳＩ−ＲＳリソースのＣＳＩのフィードバックをトリガーしないことを表し、０１は候補集合中のＴｒｉｇｇｅｒ  ｒｅｓｏｕｒｃｅ  １のＣＳＩをトリガーすることを表し、１０は候補集合中のＴｒｉｇｇｅｒ  ｒｅｓｏｕｒｃｅ  ２のＣＳＩをトリガーすることを表し、１１は候補集合中のＴｒｉｇｇｅｒ  ｒｅｓｏｕｒｃｅ  ３のＣＳＩをトリガーすることを表する。
【００８３】
第２７実施形態
本実施形態において、ＵＥ１がＲ１１又は更に進化型のユーザであって、基地局側がＵＥ−Ｓｐｅｃｉｆｉｃの上位層シグナリングを介してＵＥ１に三量のＣＳＩのＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知する場合、基地局側は端末側に対応するＣＳＩフィードバック制限集合上位層シグナリングである候補集合を配置する。候補集合を以下の方式で定義することができる。
Ｔｒｉｇｇｅｒ  ｒｅｓｏｕｒｃｅ  １（ｘ１  ｙ１  ｚ１  ｘｘ１  ｙｙ１  ｚｚ１  ｎｎ１）
Ｔｒｉｇｇｅｒ  ｒｅｓｏｕｒｃｅ  ２（ｘ２  ｙ２  ｚ２  ｘｘ２  ｙｙ２  ｚｚ２  ｎｎ２）
Ｔｒｉｇｇｅｒ  ｒｅｓｏｕｒｃｅ  ３（ｘ３  ｙ３  ｚ３  ｘｘ３  ｙｙ３  ｚｚ３  ｎｎ３）
Ｔｒｉｇｇｅｒ  ｒｅｓｏｕｒｃｅ  ４（ｘ４  ｙ４  ｚ４  ｘｘ４  ｙｙ４  ｚｚ４  ｎｎ４）
Ｔｒｉｇｇｅｒ  ｒｅｓｏｕｒｃｅ  ５（ｘ５  ｙ５  ｚ５  ｘｘ５  ｙｙ５  ｚｚ５  ｎｎ５）
Ｔｒｉｇｇｅｒ  ｒｅｓｏｕｒｃｅ  ６（ｘ６  ｙ６  ｚ６  ｘｘ６  ｙｙ６  ｚｚ６  ｎｎ６）
ここで、一番目のビットｘｎは配置した一番目のＣＳＩ−ＲＳリソースのＣＳＩをフィードバックするか否かを表し、二番目のビットｙｎは配置した二番目のＣＳＩ−ＲＳリソースのＣＳＩをフィードバックするか否かを表し、三番目のビットｚｎは配置した三番目のＣＳＩ−ＲＳリソースのＣＳＩをフィードバックするか否かを表し、ｘｘｎ、ｙｙｎ、ｚｚｎ、ｎｎｎ（ｎ＝１，２，３，４，５，６）は一番目のＣＳＩ−ＲＳリソースと二番目のＣＳＩ−ＲＳリソースと三番目のＣＳＩ−ＲＳリソースの各種組合せの集合又は干渉仮説のＣＳＩをフィードバックするか否かを表し、０は対応するＣＳＩをフィードバックしないことを表し、１は対応するＣＳＩをフィードバックすることを表する。異なるＴｒｉｇｇｅｒ  ｒｅｓｏｕｒｃｅ中のビットが同一又は異なるＣＳＩ−ＲＳリソースの異なるＩＭＲ仮説状況を表することもできる。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応する候補集合中のＣＳＩ−ＲＳリソースのＣＳＩをフィードバックするか否かをトリガーし、ここで、００は候補集合中のＣＳＩ−ＲＳリソースのＣＳＩのフィードバックをトリガーしないことを表し、０１は候補集合中のＴｒｉｇｇｅｒ  ｒｅｓｏｕｒｃｅ  １とＴｒｉｇｇｅｒ  ｒｅｓｏｕｒｃｅ  ２のＣＳＩをトリガーすることを表し、１０は候補集合中のＴｒｉｇｇｅｒ  ｒｅｓｏｕｒｃｅ  ３  とＴｒｉｇｇｅｒ  ｒｅｓｏｕｒｃｅ  ４のＣＳＩをトリガーすることを表し、１１は候補集合中のＴｒｉｇｇｅｒ  ｒｅｓｏｕｒｃｅ  ５と  Ｔｒｉｇｇｅｒ  ｒｅｓｏｕｒｃｅ  ６のＣＳＩをトリガーすることを表する。
また、二つのＴｒｉｇｇｅｒ  ｒｅｓｏｕｒｃｅから一つの集合方式及び／又は干渉測定方式のＣＳＩを選択してフィードバックする集合方式及び／又は干渉仮説のＣＳＩは、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングのＣＣＥの開始位置がｎＣＣＥ，ｏｆｆｓｅｔであって、且つ、ｎＣＣＥ，ｏｆｆｓｅｔが実際のＤＣＩの盲目的検知の開始位置に対する遷移ＣＣＥ数であると、集合レベルＬ＝１、ｎＣＣＥ，ｏｆｆｓｅｔ＝０／２／４又はＬ＝２、ｎＣＣＥ，ｏｆｆｓｅｔ＝０／４／８又はＬ＝３、ｎＣＣＥ，ｏｆｆｓｅｔ＝０又はＬ＝４、ｎＣＣＥ，ｏｆｆｓｅｔ＝０である場合、上位層で配置した一番目のＴｒｉｇｇｅｒ  ｒｅｓｏｕｒｃｅのＣＳＩを選択してフィードバックし、集合レベルＬ＝１、ｎＣＣＥ，ｏｆｆｓｅｔ＝１／３／５又はＬ＝２、ｎＣＣＥ，ｏｆｆｓｅｔ＝２／６／１０又はＬ＝３、ｎＣＣＥ，ｏｆｆｓｅｔ＝４又はＬ＝４、ｎＣＣＥ，ｏｆｆｓｅｔ＝８である場合、上位層で配置した二番目のＴｒｉｇｇｅｒ  ｒｅｓｏｕｒｃｅのＣＳＩを選択してフィードバックする。
【００８４】
第２８実施形態
本実施形態において、ＵＥ１がＲ１１又は更に進化型のユーザであって、基地局側がＵＥ−Ｓｐｅｃｉｆｉｃの上位層シグナリングを介してＵＥ１に三量のＣＳＩのＣＳＩ−ＲＳリソースを通知するとする。前記ＵＥ−Ｓｐｅｃｉｆｉｃの上位層シグナリングによりＵＥ１に３セットのＣＳＩ測定用のＣＳＩ−ＲＳリソースを通知する場合、基地局側は端末側に対応するＣＳＩフィードバック制限集合上位層シグナリングである候補集合を配置する。候補集合を以下の方式で定義することができる。
Ｔｒｉｇｇｅｒ  ｒｅｓｏｕｒｃｅ  １（ｘ１  ｙ１  ｚ１  ｘｘ１  ｙｙ１  ｚｚ１  ｎｎ１）
Ｔｒｉｇｇｅｒ  ｒｅｓｏｕｒｃｅ  ２（ｘ２  ｙ２  ｚ２  ｘｘ２  ｙｙ２  ｚｚ２  ｎｎ２）
Ｔｒｉｇｇｅｒ  ｒｅｓｏｕｒｃｅ  ３（ｘ３  ｙ３  ｚ３  ｘｘ３  ｙｙ３  ｚｚ３  ｎｎ３）
Ｔｒｉｇｇｅｒ  ｒｅｓｏｕｒｃｅ  ４（ｘ４  ｙ４  ｚ４  ｘｘ４  ｙｙ４  ｚｚ４  ｎｎ４）
Ｔｒｉｇｇｅｒ  ｒｅｓｏｕｒｃｅ  ５（ｘ５  ｙ５  ｚ５  ｘｘ５  ｙｙ５  ｚｚ５  ｎｎ５）
Ｔｒｉｇｇｅｒ  ｒｅｓｏｕｒｃｅ  ６（ｘ６  ｙ６  ｚ６  ｘｘ６  ｙｙ６  ｚｚ６  ｎｎ６）
ここで、一番目のビットｘｎは配置した一番目のＣＳＩ−ＲＳリソースのＣＳＩをフィードバックするか否かを表し、二番目のビットｙｎは配置した二番目のＣＳＩ−ＲＳリソースのＣＳＩをフィードバックするか否かを表し、三番目のビットｚｎは配置した三番目のＣＳＩ−ＲＳリソースのＣＳＩをフィードバックするか否かを表し、ｘｘｎ、ｙｙｎ、ｚｚｎ、ｎｎｎ（ｎ＝１，２，３，４，５，６）は一番目のＣＳＩ−ＲＳリソースと二番目のＣＳＩ−ＲＳリソースと三番目のＣＳＩ−ＲＳリソースの各種組合せの集合又は干渉仮説のＣＳＩをフィードバックするか否かを表し、０は対応するＣＳＩをフィードバックしないことを表し、１は対応するＣＳＩをフィードバックすることを表する。異なるＴｒｉｇｇｅｒ  ｒｅｓｏｕｒｃｅ中のビットが同一又は異なるＣＳＩ−ＲＳリソースの異なるＩＭＲ仮説を表することもできる。
基地局側はＤＣＩ  Ｆｏｒｍａｔ  ０又はＤＣＩ  ｆｏｒｍａｔ  ４又はランダムアクセス応答又はアップリンクスケジューリング許可シグナリング中のフィードバックトリガーシグナリングビットの２ビットによって、ＵＥ１が対応する候補集合中のＣＳＩ−ＲＳリソースのＣＳＩをフィードバックするか否かをトリガーし、ここで、００は候補集合中のＣＳＩ−ＲＳリソースのＣＳＩのフィードバックをトリガーしないことを表し、０１は候補集合中のＴｒｉｇｇｅｒ  ｒｅｓｏｕｒｃｅ  １とＴｒｉｇｇｅｒ  ｒｅｓｏｕｒｃｅ  ２のＣＳＩをトリガーすることを表し、１０は候補集合中のＴｒｉｇｇｅｒ  ｒｅｓｏｕｒｃｅ  ３  とＴｒｉｇｇｅｒ  ｒｅｓｏｕｒｃｅ  ４のＣＳＩをトリガーすることを表し、１１は候補集合中のＴｒｉｇｇｅｒ  ｒｅｓｏｕｒｃｅ  ５と  Ｔｒｉｇｇｅｒ  ｒｅｓｏｕｒｃｅ  ６のＣＳＩをトリガーすることを表する。
また、二つのＴｒｉｇｇｅｒ  ｒｅｓｏｕｒｃｅから一つの集合方式及び／又は干渉測定方式のＣＳＩを選択してフィードバックする集合方式及び／又は干渉仮説のＣＳＩは、ＤＣＩ  Ｆｏｒｍａｔ  ０又はＤＣＩ  ｆｏｒｍａｔ  ４又はランダムアクセス応答又はアップリンクスケジューリング許可シグナリングが位置するリソースの位置によって決められる。ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが偶数システムフレームである時、上位層で配置した一番目のＴｒｉｇｇｅｒ  ｒｅｓｏｕｒｃｅのＣＳＩを選択してフィードバックし、ＤＣＩ  Ｆｏｒｍａｔ  ０又はＤＣＩ  ｆｏｒｍａｔ  ４又はランダムアクセス応答又はアップリンクスケジューリング許可シグナリングが位置するサブフレームが奇数システムフレームである時、上位層で配置した二番目のＴｒｉｇｇｅｒ  ｒｅｓｏｕｒｃｅのＣＳＩを選択してフィードバックする。
【００８５】
第２９実施形態
実施形態１〜２７の場合、基地局側が端末側に異なる測定集合サイズを配置し、即ち、上位層で配置したＣＳＩ−ＲＳリソースの数量が異なると、異なる候補集合の配置方法と配置したＴｒｉｇｇｅｒ  Ｒｅｓｏｕｒｅｃｅ数及び／又は物理層の動的通知方法を応用する。また、上述の実施形態の各種のシグナリングの組合せ方法は自由に配置でき、上記の実施形態に記載の方法に限られない。また、ＩＭＲの場合、ＵＥ−Ｓｐｅｃｉｆｉｃの上位層シグナリングを介して端末側に通知することができ、複数のＣＳＩ−ＲＳリソースに１セットのＩＭＲを配置することができれば、複数のＣＳＩ−ＲＳリソースに複数セットのＩＭＲを配置することもできる。
他の実施形態において、ＣＳＩフィードバックシグナルの指示配置ソフトウェアを提供し、当該ソフトウェアは上記実施形態に記載の技術案を実行する。
他の実施形態において、上記ソフトウェアが記憶される記憶媒体を提供し、当該記憶媒体は光ディスク、フロッピー（登録商標）ディスク、ハードディスク、消去可能プログラマブル等を含み、これらに限定されることはない。
【００８６】
本発明の上記各実施形態のダウンリンクＣＳＩのフィードバック方法によると、基地局側が端末側による各種ＣＳＩ情報のフィードバックを柔軟に配置することができ、基地局側がＣＳＩを動的に取得でき、精確なリンクアダプテーション調節とデータ送信を行うことが可能になる。端末側は、本発明の方法によってアップリンクフィードバックのオーバーヘッドと測定の複雑度を節約できる。
【００８７】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００８８】
以上は、本発明の好適な実施形態に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００８９】
１０  第１の通知モジュール
２０  指示モジュール
【図１】
0006419067.tif 000006
【図２】
0006419067.tif 000007